(57)【特許請求の範囲】
【請求項１】
浴室のドア枠に対して開閉動作可能に設けられたドア本体と、
該ドア本体の下部に設けられた止水ユニットとを備え、
該止水ユニットは、
前記ドア本体の下部に取り付けられた取付部材と、
下縁部に止水用のパッキンを有し、前記取付部材に対して上下方向へスライド可能とされた止水部材と、
前記ドア本体が開位置にあるときに前記止水部材を上げた状態とする一方で前記ドア本体が閉位置にあるときに前記止水部材を下げた状態として前記ドア枠の下枠上に前記パッキンを接触させるように前記止水部材を上下方向へスライドさせる止水部材高さ変更機構とを備え、
前記ドア本体は、前記ドア枠に対して上下に向けた軸を回転動作の中心として前記ドア枠の面外に移動する第一のドア本体と、該第一のドア本体に対して折り動作可能に連結されて該第一のドア本体との連結部とは反対側の縁部が前記ドア枠の面内で移動可能とされた第二のドア本体とを有し、
前記止水ユニットは、前記第一のドア本体の下部に設けられた第一の止水ユニットと、前記第二のドア本体の下部に設けられた第二の止水ユニットとを有し、
前記第一の止水ユニットの前記止水部材は、前記第一のドア本体の下縁部に沿った両端部のうち前記軸側となる端部の下部に切欠部が形成され、
前記第一の止水ユニットの前記止水部材高さ変更機構は、前記第一のドア本体の回転動作の中心となる軸の近傍で前記ドア枠に固定されて前記切欠部の位置で前記止水部材の前記軸側の端部を載置する止水部材端部載置部材と、前記止水部材を下方へ付勢する第一のばねとを備え、
前記第一の止水ユニットの前記止水部材端部載置部材において前記止水部材の前記軸側の端部を載置する面は、前記第一のドア本体が前記閉位置から前記開位置へ移動するときに前記止水部材を上げる一方で前記第一のドア本体が前記開位置から前記閉位置へ移動するときに前記止水部材を下げるように傾斜した面を有し、
前記第二の止水ユニットの前記止水部材高さ変更機構は、前記止水部材を上方へ付勢する第二のばねと、前記第二のドア本体から外側へ突出して該第二のドア本体が前記閉位置となったときに該第二のドア本体の内側へ押される押圧部を有して該押圧部が押されると前記止水部材を下方へ押して前記パッキンを前記下枠上に接触させる止水部材押下部材とを備えることを特徴とする浴室ドア。
【請求項２】
前記ドア本体は、前記下枠に対向する部位に上方へ凹んだ凹部が形成された框を有し、
前記取付部材は、前記凹部に収容されて前記框に対して着脱可能に取り付けられたことを特徴とする請求項１に記載の浴室ドア。
【発明の詳細な説明】
【技術分野】
【０００１】
本発明は、止水機能を設けた浴室ドアに関する。
【背景技術】
【０００２】
浴室内の水が脱衣室へ出ないようにするため、パッキンを用いて浴室ドアを止水することが行われている。パッキンを浴室ドアのドア枠やドア本体に取り付ける際には、パッキンを嵌合させるための形状をドア枠やドア本体に設けて該形状の嵌合部位にパッキンを嵌合したり、さらにパッキンのずれ防止のため該嵌合部位をかしめたりして、パッキンをドア枠やドア本体に固定している。特許文献１には、ドア本体の下框に横第１シール部材と横第２シール部材を嵌合させ、下枠の脱衣室側に横第３シール部材を嵌合させた浴室用建具が記載されている。
【０００３】
また、特許文献２には、浴室出入り口用の開口に設ける戸枠の下部枠に下部枠の長手方向に長い水止め部材を起倒自在に装着した浴室の出入り口の構造が記載されている。この水止め部材は、ねじによりドア枠の下部枠に取り付けられ、折戸の閉動作により折戸に当接した駆動装置によって立ち上がり、折戸の開動作により倒れるようにされている。
【０００４】
さらに、特許文献３には、浴室用ドアの下端部に止水プレートを設けた浴室用ドア構造が記載されている。この止水プレートは、回動ヒンジ部を支点として第１の止水プレートと第２の止水プレートとが略逆Ｖ字状に折畳み可能であり、スライド式の浴室用ドアの閉動作に連動して浴室の床面と接触し出入口への水の流れを阻止する止水壁を形成し、浴室用ドアの開動作に連動して浴室の床面から離れて略逆Ｖ字状に折畳まれる。
【特許文献１】特開２０００−２５７３５０号公報
【特許文献２】特開平１０−１３１６４３号公報
【特許文献３】特開平１１−２８０３５３号公報
【発明の開示】
【発明が解決しようとする課題】
【０００５】
ドア枠やドア本体にパッキンを嵌合させた浴室ドアの場合、ドア枠やドア本体に設けた嵌合部位にパッキンを嵌合させる作業をしにくく、パッキンの交換作業に時間がかかる。また、浴室ドアの物流時にパッキンが変形しないように浴室ドアを置く必要がある。ドア枠やドア本体に設けた嵌合部位をかしめる場合には、さらにパッキンの交換作業に時間がかかることになる。
特許文献２記載の浴室の出入り口の構造は、脱衣室側に起倒自在な水止め部材が設けられているため、見た目が良くないうえ、脱衣室で折戸を開閉操作したときに起倒する水止め部材に接触する可能性がある。また、浴室内の水が脱衣室へ出ないようにするためには水止め部材全体にわたって止水用のパッキンを設ける必要があるものの、このようなパッキンを設けることは考慮されていない。
特許文献３記載の浴室用ドア構造は、浴室側で略逆Ｖ字状に折畳み可能な止水プレートが設けられているため、見た目が良くない。また、浴室側でスライド式の浴室用ドアを開閉操作したときに大きく上下する回動ヒンジ部に接触する可能性があり、浴室用ドアを開ける操作をしたときに第１の止水プレートと第２の止水プレートとが挟むような動作をしてしまう。
【０００６】
本発明は、折戸タイプの浴室ドアにおいて、止水用の部品を交換しやすくし、メンテナンス性を向上させる、外観及び使い勝手の良好な浴室ドアの提供を目的とする。
【課題を解決するための手段】
【０００７】
上記目的を達成するため、本発明の浴室ドアは、浴室のドア枠に対して開閉動作可能に設けられたドア本体と、該ドア本体の下部に設けられた止水ユニットとを備え、該止水ユニットは、前記ドア本体の下部に取り付けられた取付部材と、下縁部に止水用のパッキンを有し、前記取付部材に対して上下方向へスライド可能とされた止水部材と、前記ドア本体が開位置にあるときに前記止水部材を上げた状態とする一方で前記ドア本体が閉位置にあるときに前記止水部材を下げた状態として前記ドア枠の下枠上に前記パッキンを接触させるように前記止水部材を上下方向へスライドさせる止水部材高さ変更機構とを備え、前記ドア本体は、前記ドア枠に対して上下に向けた軸を回転動作の中心として前記ドア枠の面外に移動する第一のドア本体と、該第一のドア本体に対して折り動作可能に連結されて該第一のドア本体との連結部とは反対側の縁部が前記ドア枠の面内で移動可能とされた第二のドア本体とを有し、前記止水ユニットは、前記第一のドア本体の下部に設けられた第一の止水ユニットと、前記第二のドア本体の下部に設けられた第二の止水ユニットとを有し、前記第一の止水ユニットの前記止水部材は、前記第一のドア本体の下縁部に沿った両端部のうち前記軸側となる端部の下部に切欠部が形成され、前記第一の止水ユニットの前記止水部材高さ変更機構は、前記第一のドア本体の回転動作の中心となる軸の近傍で前記ドア枠に固定されて前記切欠部の位置で前記止水部材の前記軸側の端部を載置する止水部材端部載置部材と、前記止水部材を下方へ付勢する第一のばねとを備え、前記第一の止水ユニットの前記止水部材端部載置部材において前記止水部材の前記軸側の端部を載置する面は、前記第一のドア本体が前記閉位置から前記開位置へ移動するときに前記止水部材を上げる一方で前記第一のドア本体が前記開位置から前記閉位置へ移動するときに前記止水部材を下げるように傾斜した面を有し、前記第二の止水ユニットの前記止水部材高さ変更機構は、前記止水部材を上方へ付勢する第二のばねと、前記第二のドア本体から外側へ突出して該第二のドア本体が前記閉位置となったときに該第二のドア本体の内側へ押される押圧部を有して該押圧部が押されると前記止水部材を下方へ押して前記パッキンを前記下枠上に接触させる止水部材押下部材とを備えることを特徴とする。
【０００８】
すなわち、止水部材高さ変更機構により、第一及び第二のドア本体が開位置にあるときに止水部材が上がった状態である一方で、第一及び第二のドア本体が閉位置にあるときに止水部材が下がった状態となってドア枠の下枠上にパッキンが接触する。これにより、浴室ドアが閉じた状態で止水機能が発揮され、浴室ドアが止水機能の不要な開いた状態でパッキンが上方へ退避する。
本浴室ドアは、上記取付部材と上記止水部材と上記止水部材高さ変更機構とが止水ユニットに設けられているので、止水用の部品である止水ユニットの交換が容易であり、メンテナンス性が良好である。また、脱衣室側で起倒する水止め部材や浴室側で略逆Ｖ字状に折畳まれる止水プレートを設ける必要が無いので、本浴室ドアは、外観が良好であり、使い勝手が良好である。
【０００９】
なお、上記取付部材は、筐体状の部材や枠状の部材等が考えられる。
上記止水部材は、ドア本体が開位置にあるときに上がった状態でドア本体が閉位置にあるときに下がった状態であればよい。従って、止水部材は、閉動作するドア本体が閉位置となった時点で下方へスライドしてもよいし、閉動作するドア本体が閉位置の手前となった時点で下方へスライドしてもよいし、ドア本体がスライドするにつれて徐々に下方へスライドしてもよい。
【発明の効果】
【００１０】
請求項１に係る発明によれば、止水用の部品を交換しやすくし、メンテナンス性を向上させる、外観及び使い勝手の良好な折戸タイプの浴室ドアを提供することができる。
請求項２に係る発明では、浴室ドアの外観を向上させることができる。
【発明を実施するための最良の形態】
【００１１】
（１）浴室ドアの構成：
図１（ａ）は参考例に係る浴室ドア１０の外観を示す斜視図、図１（ｂ）は浴室ドア１０を構成する各ドア本体の下部を斜め下から見て示す要部斜視図、図２（ａ）は浴室ドア１０の下部を示す要部正面図、図２（ｂ）（ｃ）は止水ユニット４０，１４０の上で浴室ドア１０を断面視して示す水平断面図、図３（ａ）〜（ｃ）は取付部材を取り付けたドア本体の要部を断面視して示す垂直断面図、図４は中央のドア本体３２に設けられる止水ユニット４０を示す図、図５（ａ）〜（ｃ）は左右のドア本体３１，３３に設けられる止水ユニット１４０を示す図である。なお、図２（ａ）では、止水部材が上がった状態であるときの止水パッキン下縁の位置を二点鎖線で示している。図４はドア本体３２の位置を二点鎖線で示し、同図（ａ）は止水ユニット４０を一部破断して上から見て示す平面図、同図（ｂ）は止水ユニット４０の左側面図、同図（ｃ）は止水ユニット４０を同図（ａ）のＡ１−Ａ１の位置で断面視して示す垂直断面図、同図（ｄ）は止水ユニット４０を同図（ａ）のＡ２−Ａ２の位置で断面視して示す垂直断面図、同図（ｅ）（ｆ）は止水ユニット４０を一部破断して示す正面図である。図５（ａ）（ｃ）は正面側から見た止水ユニット１４０の垂直断面図、同図（ｂ）は上側から見た止水ユニット１４０の水平断面図である。
【００１２】
図１に示すように、浴室ドア１０は、上吊式の連動引戸であり、浴室１と脱衣室Ｒ１との間に設置したドア枠２０に対して横滑り可能な３枚のドア本体３１，３２，３３を並行して配している。ドア本体３１，３２，３３には図示しない公知の連動機構が設けられ、浴室側のドア本体３１を固定した状態で脱衣室側のドア本体３３を開閉操作すると該ドア本体３３の１／２の移動速度で中央のドア本体３２が開閉動作し、脱衣室側のドア本体３３を固定した状態で浴室側のドア本体３１を開閉操作すると該ドア本体３１の１／２の移動速度で中央のドア本体３２が開閉動作する。連動機構には、例えば、特開２００３−８２９３３号公報に記載された連動引戸ユニットや特開平１−１６５８９４号公報に記載された吊戸の連動装置を用いることができる。
ドア枠２０は、長手方向を左右方向に向けて配置された上枠２１及び下枠２２、並びに、長手方向を上下方向に向けて配置された縦枠２３，２３で構成されている。
【００１３】
各ドア本体３１〜３３は、長手方向を上下方向に向けた左右の縦框３０ａ，３０ｂ、長手方向を左右方向に向けた上框３０ｃと下框３０ｄ、ガラス等の面材３０ｅ、縦框３０ａ，３０ｂの上に取り付けられた左右のランナー部材３０ｆ，３０ｆを有している。これらのランナー部材３０ｆを挿入するための３条の平行な溝からなるレールが上枠２１に設けられ、各ドア本体３１〜３３がランナー部材３０ｆで該レールに吊られて該レールの各溝に沿って平行に配される。これにより、ドア本体３１〜３３の開閉方向Ｄ１が上框３０ｃの長手方向となり、ドア本体３１〜３３がドア枠２０に対して開閉動作可能に設けられる。
本浴室ドア１０の場合、図１（ａ）に示す各ドア本体３１〜３３の位置が所定の閉位置Ｌ２である。脱衣室側のドア本体３３を左方へ開動作させる場合、同図（ａ）の二点鎖線で示した位置がドア本体３２，３３の開位置Ｌ１である。浴室側のドア本体３１の開位置は、同図（ａ）の状態から右方へ移動した位置である。
框３０ａ，３０ｂ，３０ｃ，３０ｄは、合成樹脂や金属の成形品、木材の加工品、等を用いることができ、塗装されていてもよい。
【００１４】
各ドア本体３１〜３３の下框３０ｄ及び縦框３０ａ，３０ｂにおいて下枠２２に対向する部位、すなわち、下端面には、上方へ凹んだ凹部３１ａ，３２ａ，３３ａが形成されている。ここで、図４に示す止水ユニット４０は凹部３２ａに収容されて中央のドア本体３２の下部に設けられ、図５（ａ）〜（ｃ）に示す止水ユニット１４０は凹部３１ａ，３３ａに収容されて左右のドア本体３１，３３の下部に設けられる。これらの止水ユニット４０，１４０は、取付部材５０，１５０、止水部材６０，１６０、止水部材高さ変更機構７０，１７０、を備えている。
【００１５】
取付部材５０，１５０は、止水部材６０，１６０を上下方向へスライドさせるため下部に開口５１，１５１を有する筐体状に形成され、凹部３１ａ〜３３ａに収容されて框３０ａ，３０ｂ，３０ｄに対して着脱可能に取り付けられる。図４に示す取付部材５０には、止水部材の延出部６１，６１を挿入させる長穴５２，５２や、押圧部７５，７５を外へ出すための穴５３，５３も形成されている。図５に示す取付部材１５０には、押圧部１７５を外へ出すための穴１５３も形成されている。
取付部材をドア本体３１〜３３の下部に取り付ける態様は、図３に示すように様々考えられる。
同図（ａ）に示す止水ユニット４１は、取付部材５０ａの上面の浴室側及び脱衣室側から可撓性を有するフック状の爪４１ａ，４１ａが上方へ突出している。一方、下框３０ｄの浴室側及び脱衣室側の内壁には、取付部材取付時の爪４１ａ，４１ａの基部に向かって互いに対向する水平方向へ延出した延出部３０ｈ，３０ｈが形成されている。止水ユニット４１をドア本体の凹部３１ａ〜３３ａに挿入するとき、爪４１ａ，４１ａが厚み方向Ｄ２内側への撓み動作の後に延出部３０ｈ，３０ｈを乗り越えて係止するようにされている。一方、凹部３１ａ〜３３ａから止水ユニット４１を下方へ強く引っ張ると、爪４１ａ，４１ａが厚み方向Ｄ２内側への撓み動作の後に延出部３０ｈ，３０ｈを乗り越え、止水ユニット４１がドア本体３１〜３３から外れる。
【００１６】
同図（ｂ）に示す止水ユニット４２は、取付部材５０ｂの浴室側及び脱衣室側の面に可撓性を有する鉤状の爪４２ａ，４２ａが設けられている。一方、下框３０ｄの浴室側及び脱衣室側の壁には、取付部材取付時の爪４２ａ，４２ａの先端部に合わせた位置に貫通穴３０ｉ，３０ｉが形成されている。止水ユニット４２をドア本体の凹部３１ａ〜３３ａに挿入するとき、爪４２ａ，４２ａを厚み方向Ｄ２内側へ押さえて凹部３１ａ〜３３ａへ挿入し、爪４２ａ，４２ａの先端部を穴３０ｉ，３０ｉへ挿入させる。これにより、取付部材５０ｂがドア本体の下部に取り付けられる。一方、穴３０ｉ，３０ｉ内の爪４２ａ，４２ａを厚み方向Ｄ２内側へ押して凹部３１ａ〜３３ａから止水ユニット４２を下方へ引っ張ると、止水ユニット４１をドア本体３１〜３３から外すことができる。
同図（ｃ）に示す止水ユニット４３は、取付部材５０ｃにねじ穴が設けられている。一方、下框３０ｄには、ねじ止め用の穴が形成されている。止水ユニット４３を凹部３１ａ〜３３ａに挿入すると、ねじ４３ａにより取付部材５０ｃを下框３０ｄに取り付けることができる。むろん、ねじ４３ａを外すと、止水ユニット４３をドア本体３１〜３３から外すことができる。
【００１７】
止水部材６０，１６０は、下縁部に止水用のパッキン６８を有し、取付部材５０，１５０に対して上下方向へスライド可能とされている。図４と図５に示すように、止水部材６０，１６０の下縁部には止水パッキン６８を挿入するための溝が形成され、この溝に止水パッキン６８が取り付けられている。
【００１８】
図４に示す止水部材６０は、開閉方向Ｄ１に沿った長手方向の両端部に外方へ延出した延出部６１，６１を有している。一方、取付部材５０には、長手方向の端面に長穴５２，５２がそれぞれ形成されている。長穴５２，５２は、挿入した延出部６１，６１がドア本体の厚み方向Ｄ２へ移動しないように規制しながら所定範囲内で上下方向へ移動することを許容する。これにより、止水部材６０は、取付部材５０に対して上下方向へスライド可能に設けられている。
また、止水部材６０の長手方向両端部の上面６２，６２は、止水部材押下部材７４，７４の基部７６，７６に接触している。図４（ｃ）に示すように、止水部材の端部上面６２は、止水部材押下部材７４側となるほど下がる傾斜面とされている。
【００１９】
図５（ａ）〜（ｃ）に示す止水部材１６０は、引張コイルばね１７２を介して取付部材１５０に吊り下げられることにより、取付部材１５０に対して上下方向へスライド可能に設けられている。止水部材１６０の上面からは、突出部１６２が上方へ突出している。この突出部の先端面１６３は、止水部材押下部材１７４の基部１７６に接触し、止水部材押下部材１７４に向かって下がる傾斜面とされている。
【００２０】
止水部材高さ変更機構７０，１７０は、ドア本体３１〜３３の開閉位置に応じて止水部材６０，１６０を上下方向へスライドさせる。止水部材６０，１６０が上がった状態のときにドア枠の下枠２２から離間した位置に止水パッキン６８が存在し、止水部材６０，１６０が下がった状態のときにパッキン６８が下枠２２上に接触する。止水部材高さ変更機構７０，１７０は、ドア本体３１〜３３が開位置Ｌ１にあるときに止水部材６０，１６０を上げた状態とする一方でドア本体３１〜３３が閉位置Ｌ２にあるときに止水部材６０，１６０を下げた状態として下枠２２上にパッキン６８を接触させるように止水部材６０，１６０を上下動させる。
【００２１】
図４に示す止水部材高さ変更機構７０は、引張コイルばね７２、止水部材押下部材７４、を備え、中央のドア本体３２に設けられる。
ばね７２は、上端が取付部材５０の天井部内壁に取り付けられ、下端が止水部材６０の上面に取り付けられている。ばね７２が引っ張られた状態で取付部材５０と止水部材６０に取り付けられているため、止水部材６０は、取付部材５０に対して上方へ付勢された状態とされ、止水部材押下部材７４で押されていないときに取付部材の長穴５２で規制される上側の位置で保持される。
【００２２】
止水部材押下部材７４は、ドア本体３２から外側へ突出して該ドア本体３２が閉位置Ｌ２となったときに該ドア本体３２の内側へ押される押圧部７５と、止水部材の端部上面６２に接触する基部７６とを有している。この基部７６の端面は、止水部材の端部上面６２の傾斜に合わせた傾きで下側を向き、止水部材６０側となるほど上がる面とされている。これにより、押圧部７５が押されると、止水部材押下部材７４は基部７６で止水部材６０を下方へ押して止水パッキン６８を下枠２２上に接触させる。一方、押圧部７５が押されなくなると、ばね７２の付勢力により止水部材６０が上へ引き上げられ、止水部材押下部材７４が止水部材の端部上面６２に押されて厚み方向Ｄ２外側へ進出する。
【００２３】
なお、浴室側のドア本体３１の縦框３０ｂと脱衣室側のドア本体３３の縦框３０ａには、閉位置Ｌ２にある中央のドア本体３２に向かって該ドア本体の厚み方向Ｄ２へ突出した突出部３１ｂ，３３ｂが設けられている。図４（ａ）左側の押圧部７５は、突出部３１ｂとは反対方向へ突出し、中央のドア本体３２が閉位置Ｌ２となったときに突出部３１ｂで厚み方向Ｄ２内側へ押される。図４（ａ）右側の押圧部７５は、突出部３３ｂとは反対方向へ突出し、中央のドア本体３２が閉位置Ｌ２となったときに突出部３３ｂで厚み方向Ｄ２内側へ押される。従って、止水部材６０は、ドア本体３２が開位置Ｌ１にあるときにばね７２の付勢力により上がった状態とされ、ドア本体３２が閉位置Ｌ２にあるときに止水部材押下部材７４で押されて止水パッキン６８が下枠２２に接触するまで下がった状態とされる。
【００２４】
図５（ａ）〜（ｃ）に示す止水部材高さ変更機構１７０は、引張コイルばね１７２、止水部材押下部材１７４、を備え、ドア本体３１，３３に設けられる。
ばね１７２は、上端が取付部材１５０の天井部内壁に取り付けられ、下端が止水部材１６０の上面に取り付けられている。止水部材１６０は、ばね１７２に吊り下げられ、止水部材押下部材７４で押されていないときに上側の位置で保持される。
【００２５】
止水部材押下部材１７４は、ドア本体３１，３３から開閉方向Ｄ１外側へ突出して該ドア本体３１，３３が閉位置Ｌ２となったときに該ドア本体３１，３３の内側へ押される押圧部１７５と、止水部材の突出部先端面１６３に接触する基部１７６とを有している。この基部１７６は、厚み方向Ｄ２外側から見たときの垂直断面が押圧部１７５とは反対方向へ膨らんだ半円状とされ、半円部分の下側が止水部材の突出部先端面１６３に接触する。これにより、押圧部１７５が押されると、止水部材押下部材１７４は基部１７６で止水部材１６０を下方へ押して止水パッキン６８を下枠２２上に接触させる。一方、押圧部１７５が押されなくなると、ばね１７２の付勢力により止水部材１６０が上へ引き上げられ、止水部材押下部材１７４が止水部材の突出部先端面１６３に押されて開閉方向Ｄ１外側へ進出する。
【００２６】
なお、図２に示す浴室側のドア本体３１には押圧部１７５を左に向けて止水ユニット１４０が配置され、同図に示す脱衣室側のドア本体３３には押圧部１７５を右に向けて止水ユニット１４０が配置される。浴室側のドア本体３１に設けられた押圧部１７５は、左側の縦枠２３に向かって突出し、ドア本体３１が閉位置となったときに開閉方向Ｄ１内側へ押される。脱衣室側のドア本体３３に設けられた押圧部１７５は、右側の縦枠２３に向かって突出し、ドア本体３３が閉位置となったときに開閉方向Ｄ１内側へ押される。従って、止水部材１６０は、ドア本体３１，３３が開位置にあるときにばね１７２の付勢力により上がった状態とされ、ドア本体３１，３３が閉位置にあるときに止水部材押下部材１７４で押されて止水パッキン６８が下枠２２に接触するまで下がった状態とされる。
【００２７】
上述した取付部材５０，１５０、止水部材６０，１６０、止水部材押下部材７４，１７４には、合成樹脂や金属の成形品、木材の加工品、等を用いることができる。止水パッキン６８には、ゴムや合成樹脂の成形品等を用いることができる。
【００２８】
以上の構成を有する浴室ドア１０は、例えば、以下のようにして形成され、浴室１の出入口に設けられる。
図４に示す止水ユニット４０は、例えば、取付部材の穴５３，５３に止水部材押下部材の押圧部７５，７５を入れ、取付部材５０の天井部内壁と止水部材６０の上面との間に引張コイルばね７２を取り付け、取付部材の長穴５１，５１に止水部材の延出部６１，６１を挿入することにより、形成することができる。
図５（ａ）〜（ｃ）に示す止水ユニット１４０は、例えば、取付部材の穴１５３に止水部材押下部材の押圧部１７５を入れ、取付部材１５０の天井部内壁と止水部材１６０の上面との間に引張コイルばね１７２を取り付けることにより、形成することができる。
【００２９】
そして、中央のドア本体の凹部３２ａに止水ユニット１４０を収容して框３０ａ，３０ｂ，３０ｄに取り付け、左右のドア本体の凹部３１ａ，３３ａに止水ユニット１４０を収容して框３０ａ，３０ｂ，３０ｄに取り付けると、引戸タイプの浴室ドア１０が形成される。
【００３０】
（２）浴室ドアの作用、効果：
以下、本浴室ドアの作用、効果を説明する。
中央のドア本体３２が開位置Ｌ１にあるとき、押圧部７５，７５が押されていないので、図４（ｅ）に示すようにばね７２の付勢力により止水部材６０が上がった状態となる。また、脱衣室側のドア本体３３が開位置Ｌ１にあるとき、押圧部１７５が押されていないので、図５（ａ）に示すようにばね１７２の付勢力により止水部材１６０が上がった状態となる。すなわち、パッキン６８が下枠２２に接触していないので、ドア本体３２，３３を閉める操作を容易に行うことができる。
開位置Ｌ１にあるドア本体３３を閉方向（図２の右方）へ動かすと、連動機構により中央のドア本体３２も閉方向へ動く。同図（ｂ）に示すようにドア本体３２，３３が閉方向へ移動している途中では、押圧部７５，１７５が押されていないので、止水部材６０，１６０は上がった状態のままである。
【００３１】
中央のドア本体３２が閉位置Ｌ２になると、浴室側のドア本体の突出部３１ｂがドア本体の厚み方向Ｄ２へ左側の押圧部７５を押し、脱衣室側のドア本体の突出部３３ｂが厚み方向Ｄ２へ右側の押圧部７５を押す。すると、止水部材押下部材の基部７６，７６が止水部材６０を下方へ押し、止水パッキン６８が下枠２２上に接触する。また、脱衣室側のドア本体３３が閉位置Ｌ２になると、右側の縦枠２３がドア本体の開閉方向Ｄ１へ押圧部１７５を押す。すると、止水部材押下部材の基部１７６が止水部材１６０を下方へ押し、止水パッキン６８が下枠２２上に接触する。従って、浴室ドアが閉じた状態で止水機能が発揮される。
【００３２】
一方、閉位置Ｌ２にあるドア本体３３を開方向（図２の左方）へ動かすと、連動機構により中央のドア本体３２も開方向へ動く。中央のドア本体に設けられた押圧部７５，７５が突出部３１ｂ，３３ｂで押されなくなると、ばね７２の付勢力により止水部材６０が上方へスライドし、押圧部７５，７５が元の位置まで突出する。また、脱衣室側のドア本体に設けられた押圧部１７５が縦枠２３で押されなくなると、ばね１７２の付勢力により止水部材１６０が上方へスライドし、押圧部１７５が元の位置まで突出する。従って、止水機能の不要な状態で止水パッキンが上方へ退避し、ドア本体の開閉操作を容易に行うことができる。
むろん、浴室側のドア本体３１を開閉操作する場合も、同様のことが言える。
【００３３】
本浴室ドア１０では、上述した取付部材５０，１５０と止水部材６０，１６０と止水部材高さ変更機構７０，１７０とを設けた止水ユニット４０，１４０を止水用の部品としている。すなわち、止水ユニットを取り付けるだけでドア本体に止水機能を付与することができるので、止水用の部品の交換が容易であり、浴室ドアのメンテナンス性が良好である。また、浴室ドアの物流時にドア本体から止水ユニットを外しておけば止水パッキンが変形しないため、物流時における浴室ドアの配置の自由度を向上させることができる。さらに、脱衣室側で起倒する水止め部材や浴室側で略逆Ｖ字状に折畳まれる止水プレートが不要であるので、浴室ドアの外観が良好であり、浴室ドアの使い勝手も良好である。特に、ドア本体下部の凹部に止水ユニットが収容されて取り付けられるので、この点でも良好な外観の浴室ドアを提供することができる。
さらに、ばね７２，１７２と止水部材押下部材７４，１７４を備える止水部材高さ変更機構７０，１７０により、ドア本体が閉位置にあるときに確実に止水することができる。
【００３４】
（３）変形例：
浴室ドアは、種々の変形例が考えられる。
引戸タイプの浴室ドアは、上吊式以外にも、止水部材と干渉しない限り、下戸車式等でもよい。
止水ユニットの取付部材は、筐体状の部材以外にも、枠状の部材等でもよい。
図４に示した止水ユニット４０は、浴室側のドア本体の代わりに壁が設けられた浴室ドアの該壁に隣接するドア本体に設けてもよい。この場合、閉位置にあるドア本体に設けられた押圧部に向かう突出部を壁に設けてもよい。
図５（ａ）〜（ｃ）に示した止水ユニット１４０は、二枚引戸や片引戸のドア本体に設けてもよい。
また、ドア枠の縦枠に突き当たった位置を閉位置とするドア本体に設置可能な止水ユニットは、図５と図６に示す止水ユニット２４０，３４０，４４０等、様々考えられる。
【００３５】
図５（ｄ）（ｅ）は、正面側から見た止水ユニット２４０の垂直断面図である。ドア本体下部に取り付けられる筐体状の取付部材２５０は、下部に開口２５１が形成され、押圧部２７５を外へ出すための穴２５３が長手方向の端面に形成されている。止水部材２６０は、下縁部に止水パッキン６８を有し、上面から突出部２６２が上方へ突出している。この突出部の先端面２６３は、止水部材押下部材２７４の基部２７６に接触した傾斜面とされている。また、突出部２６２の途中から、左右に延出部２６４，２６４が延出している。止水部材高さ変更機構２７０は、延出部２６４と取付部材２５０の底部上面との間に挿入された圧縮コイルばね２７２と、押圧部２７５及び基部２７６を有する止水部材押下部材２７４とを備えている。止水部材２６０は、ばね２７２を介して取付部材２５０に支持されることにより、取付部材２５０に対して上下方向へスライド可能に設けられている。
以上の構成により、止水部材２６０は、ドア本体が開位置にあるときにばね２７２の付勢力により上がった状態となり、ドア本体が閉位置にあるときに押圧部２７５が縦枠で押されることにより下がって下枠２２上にパッキン６８を接触させる状態となる。
【００３６】
図６（ａ）（ｂ）は、正面側から見た止水ユニット３４０の垂直断面図である。ドア本体下部に取り付けられる筐体状の取付部材３５０は、下部に開口３５１が形成され、押圧部３７５を外へ出すための穴３５３が長手方向の端面に形成されている。止水部材３６０は、下縁部に止水パッキン６８を有している。止水部材高さ変更機構３７０は、取付部材３５０の天井部内壁と止水部材３６０の上面との間に取り付けられた引張コイルばね３７２と、押圧部３７５を有する止水部材押下部材３７４と、厚み方向Ｄ２に向けた軸を中心として回転動作可能なＬ字状部材３７６とを備えている。止水部材３６０は、ばね３７２を介して取付部材３５０の天井部に吊り下げられることにより、取付部材３５０に対して上下方向へスライド可能に設けられている。Ｌ字状部材３７６は、上側が止水部材押下部材３７４の基部への当接部３７６ａとされ、下側が止水部材３６０の上面に接触する接触部３７６ｂとされている。
【００３７】
以上の構成により、押圧部３７５が押されると、止水部材押下部材３７４がＬ字状部材の当接部３７６ａを図の右方へ押し、Ｌ字状部材３７６が右回りに回転して、Ｌ字状部材の接触部３７６ｂが止水部材３６０を下方へ押す。一方、押圧部３７５が押されなくなると、ばね３７２の付勢力により止水部材３６０が上へ引き上げられ、Ｌ字状部材３７６が左回りに回転して、止水部材押下部材３７４が開閉方向Ｄ１外側へ進出する。このように、止水部材押下部材３７４の動きがＬ字状部材３７６を介して止水部材３６０に伝えられるので、スムーズに止水部材３６０を上下方向へスライドさせることができる。
【００３８】
図６（ｃ）（ｄ）は、正面側から見た止水ユニット４４０の垂直断面図である。ドア本体下部に取り付けられる筐体状の取付部材４５０は、下部に開口４５１が形成され、押圧部４７５を外へ出すための穴４５３が長手方向の端面に形成されている。止水部材４６０は、下縁部に止水パッキン６８を有し、上面から突出部４６２が上方へ突出している。この突出部の先端面４６３は、止水部材押下部材４７４のローラ４７６に接触した傾斜面とされている。止水部材高さ変更機構４７０は、取付部材４５０の天井部内壁と止水部材４６０の上面との間に取り付けられた引張コイルばね４７２と、押圧部４７５及びローラ４７６を有する止水部材押下部材４７４とを備えている。ローラ４７６は、止水部材押下部材４７４の基部に設けられ、厚み方向Ｄ２に向けた軸を中心として回転動作可能とされている。止水部材２６０は、ばね２７２を介して取付部材２５０に支持されることにより、取付部材２５０に対して上下方向へスライド可能に設けられている。
【００３９】
以上の構成により、押圧部４７５が押されると、止水部材押下部材４７４はローラ４７６で止水部材４６０を下方へ押して止水パッキン６８を下枠２２上に接触させる。ここで、止水部材の突出部上端面４６３に接触したローラ４７６が回転するので、スムーズに止水部材４６０を押すことができる。一方、押圧部４７５が押されなくなると、ばね４７２の付勢力により止水部材４６０が上へ引き上げられ、止水部材押下部材４７４が開閉方向Ｄ１外側へ進出する。このように、ローラ４７６を設けることにより、スムーズに止水部材４６０を上下方向へスライドさせることができる。
【００４０】
図７は止水ユニット５４０を設けた浴室ドア５１０の変形例を示す図であり、同図（ａ）はドア本体５３２が開位置Ｌ１にあるときの浴室ドア５１０を断面視して示す水平断面図、同図（ｂ）はドア本体５３２が閉位置Ｌ２にあるときの浴室ドア５１０を断面視して示す水平断面図、同図（ｃ）は止水ユニット５４０を断面視して示す水平断面図、同図（ｄ）は同図（ｃ）のＡ３−Ａ３の位置で断面視して示す垂直断面図、同図（ｅ）は押圧部５７５が押されたときの状態を同図（ｃ）のＡ３−Ａ３の位置で断面視して示す垂直断面図である。同図（ｃ）では、ドア本体５３２の位置を二点鎖線で示している。
本浴室ドア５１０は、上吊式の片引戸であり、浴室と脱衣室との間に設置したドア枠５２０に対して壁５３１と横滑り可能なドア本体５３２とを並行して配している。壁５３１には、閉位置Ｌ２にあるドア本体５３２に向かって該ドア本体の厚み方向Ｄ２へ突出した突出部５３１ｂが形成されている。
【００４１】
ドア本体５３２の下部に取り付けられる筐体状の取付部材５５０には、止水部材５６０を上下方向へスライドさせるため下部に開口５５１が形成され、止水部材の延出部５６１，５６１を挿入させる長穴５５２，５５２が長手方向の端面に形成され、押圧部５７５を外へ出すための穴５５３が壁５３１に対向する面に形成されている。
止水部材５６０は、下縁部に止水パッキン６８を有し、止水部材載置部材５７４を貫通させる貫通穴５６２が形成されている。本止水部材５６０は、貫通穴５６２の上側部分５６３が止水部材載置部材５７４に支持され、延出部５６１，５６１が取付部材の長穴５５２，５５２に挿入していることにより、取付部材５５０に対して上下方向へスライド可能に設けられている。
【００４２】
止水部材高さ変更機構５７０は、取付部材５６０において穴５５３に対向する内壁と止水部材載置部材５７４との間に挿入された圧縮コイルばね５７２と、押圧部５７５を有する止水部材載置部材５７４とを備えている。押圧部５７５は、壁の突出部５３１ｂとは反対方向となる厚み方向Ｄ２外側へ突出してドア本体５３２が閉位置Ｌ２となったときに突出部５３１ｂで厚み方向Ｄ２内側へ押されるようにされている。止水部材載置部材５７４は、止水部材の貫通穴５６２を貫通し、止水部材５６０の貫通穴の上側部分５６３を載置しながら厚み方向Ｄ２へスライド可能とされている。ばね５７２は、止水部材載置部材５７４を押し戻す方向へ付勢している。
【００４３】
止水部材載置部材５７４において止水部材５６０を載置する部位は、押圧部５７５から最も遠い第一の載置部位５７４ａ、該部位５７４ａの押圧部５７５側となる案内部位５７４ｃ、該部位５７４ｃの押圧部５７５側となる第二の載置部位５７４ｂ、を有している。第一の載置部位５７４ａは、押圧部５７５が押されていないときに止水部材５６０を上げた状態とする。第二の載置部位５７４ｂは、押圧部５７５が押されたときに下枠５２２上に止水パッキン６８を接触させるように止水部材５６０を下げた状態とする。案内部位５７４ｃは、押圧部５７５が押されるときに止水部材５６０の載置部位を第一の載置部位５７４ａから第二の載置部位５７４ｂへ下げる一方で押圧部７５が押し戻されるときに止水部材５６０の載置部位を第二の載置部位５７４ｂから第一の載置部位５７４ａへ上げるように止水部材５６０を案内しながら上下方向へスライドさせる。
【００４４】
ドア本体５３２が開位置Ｌ１にあるとき、押圧部５７５が押されていないので、図７（ｄ）に示すように止水部材の貫通穴の上側部分５６３が第一の載置部位５７４ａ上にあり、止水部材５６０が上がった状態となる。ドア本体５３２を閉方向に動かして閉位置Ｌ２にすると、壁の突出部５３１ｂが厚み方向Ｄ２へ押圧部５７５を押す。すると、止水部材の貫通穴の上側部分５６３が案内部位５７４ｃを過ぎて第二の載置部位５７４ｂ上となり、止水部材５６０が下がった状態となって、止水パッキン６８が下枠５２２上に接触する。
また、閉位置Ｌ２にあるドア本体５３２を開方向に動かすと、押圧部５７５が突出部５３１ｂで押されなくなり、ばね５７２の付勢力により押圧部５７５が突出する方向へ止水部材載置部材５７４がスライドする。このとき、止水部材の貫通穴の上側部分５６３が案内部位５７４ｃを過ぎて第一の載置部位５７４ａ上となり、止水部材５６０が上がった状態となる。
【００４５】
本変形例では、止水部材を上下させるためではなく止水部材よりも小さい止水部材載置部材を水平方向へスライドさせるためにばねを用いるので、より小型のばねを用いて止水部材を上下方向へスライドさせることができる。
【００４６】
図８は止水ユニット６４０に磁石又は磁性体６７４を用いた浴室ドア６１０の変形例を示す図であり、同図（ａ）はドア本体６３２が開閉途中にあるときの浴室ドア６１０の要部を示す正面図、同図（ｂ）はドア本体６３２が閉位置Ｌ２にあるときの浴室ドア６１０の要部を示す正面図、同図（ｃ）はドア本体６３２が開位置にあるときの止水ユニット６４０及び下枠６２２の要部をドア本体５３２の開閉方向Ｄ１に対する垂直断面で示す図、同図（ｄ）はドア本体６３２が閉位置Ｌ２にあるときの止水ユニット６４０及び下枠６２２の要部をドア本体５３２の開閉方向Ｄ１に対する垂直断面で示す図である。
本浴室ドア６１０も、上吊式の片引戸であり、浴室と脱衣室との間に設置したドア枠６２０に対して壁６３１と横滑り可能なドア本体６３２とを並行して配している。ドア枠の下枠６２２には、閉位置Ｌ２にあるドア本体６３２の下部に設けられた磁石又は磁性体６７４に合わせた位置に磁石６２２ａ、すなわち、磁力により引き合う力が作用する磁力作用部位が設けられている。
【００４７】
ドア本体６３２の下部に取り付けられる筐体状の取付部材６５０には、止水部材６６０を上下方向へスライドさせるため下部に開口６５１が形成されている。
止水部材６６０は、下縁部に止水パッキン６８を有し、上面に磁石又は磁性体６７４が固定されている。
【００４８】
止水部材高さ変更機構６７０は、磁石又は磁性体６７４と、該磁石又は磁性体を上方へ付勢する引張コイルばね６７２とを備えている。磁石又は磁性体６７４は、下側に止水部材６６０を取り付けて上下方向へスライド可能であり、ドア本体６３２が閉位置Ｌ２にあるときにドア枠の磁石６２２ａと磁力により引き合う。例えば、ドア枠６２２に磁石６２２ａが上側をＮ極とし下側をＳ極として設置されている場合、磁性体、又は、下側をＳ極とし上側をＮ極とした磁石を止水部材高さ変更機構６７０に用いることができる。ドア枠６２２に磁石６２２ａが上側をＳ極とし下側をＮ極として設置されている場合、磁性体、又は、下側をＮ極とし上側をＳ極とした磁石を止水部材高さ変更機構６７０に用いることができる。むろん、止水部材高さ変更機構６７０に磁石を用いる場合、下枠６２２の磁力作用部位に磁性体を用いることができる。
ばね６７２は、上端が取付部材６５０の天井部内壁に取り付けられ、下端が磁石又は磁性体６７４の上面に取り付けられている。従って、止水部材６６０は、実質的にばね６７２に吊り下げられ、磁石又は磁性体６７４に引き合う力が作用していないときに上側の位置で保持される。
【００４９】
ドア本体６３２が開位置Ｌ１にあるとき、磁石又は磁性体６７４に引き合う力が作用しないので、図８（ｃ）に示すように止水部材６６０が上がった状態となる。ドア本体６３２を閉方向に動かして閉位置Ｌ２にすると、止水ユニットの磁石又は磁性体６７４とドア枠の磁石６２２ａとが磁力により引き合い、止水部材６６０が下がった状態となって、止水パッキン６８が下枠６２２上に接触する。
また、閉位置Ｌ２にあるドア本体６３２を開方向に動かすと、止水ユニットの磁石又は磁性体６７４とドア枠の磁石６２２ａとが引き合う力が弱くなり、ばね６７２の付勢力により止水部材６６０が上がった状態となる。
【００５０】
本変形例では、閉位置にあるドア本体の設けられた止水部材が磁力により下枠上へ引き寄せられるので、ドア本体が閉位置にあるときに確実に止水することができる。
【００５１】
図９は開き戸タイプの浴室ドア７１０に止水ユニット７４０を用いた変形例を示す図であり、同図上側はドア本体７３１が開閉するときの浴室ドア７１０の様子を断面視して示す水平断面図、同図下側はドア本体７３１に対して垂直な方向から見るときの止水ユニット７４０の垂直断面図である。
本浴室ドア７１０は、ドア本体７３１がドア枠７２０に対して上下に向けた軸ＡＸ１を回転動作の中心としてドア枠７２０の面外に移動する開き戸とされている。図示の浴室ドア７１０は、右側の縦枠７２３近傍の軸ＡＸ１を中心としてドア本体７３１が図の上側へスイングするようにされている。
【００５２】
ドア本体７３１の下部に取り付けられる筐体状の取付部材７５０には、止水部材７６０を上下方向へスライドさせるため下部に開口７５１が形成され、止水部材の延出部７６１，７６１を挿入させる長穴７５２，７５２が長手方向の端面に形成されている。
止水部材７６０は、下縁部に止水パッキン６８を有し、長手方向の両端部（ドア本体７３１の下縁部に沿った両端部）７６０ａ，７６０ｂのうち軸ＡＸ１側となる端部７６０ｂの下部に切欠部７６２が形成されている。
【００５３】
止水部材高さ変更機構７７０は、圧縮コイルばね７７２と止水部材端部載置部材７７４を備えている。ばね７７２は、上端が取付部材７５０の天井部内壁に取り付けられ、下端が止水部材７６０の上面に取り付けられている。止水部材端部載置部材７７４は、ドア本体の回転動作の中心となる軸ＡＸ１の近傍でドア枠の下枠７２２に固定され、切欠部７６２の位置で止水部材の軸側端部７６０ｂを載置している。ばね７７２は、止水部材端部載置部材７７４に端部７６０ｂを載置した止水部材７６０を下方へ付勢している。
ここで、止水部材端部載置部材７７４において止水部材の軸側端部７６０ｂを載置する面は、ドア本体７３１の開閉位置に応じて止水部材７６０を上下方向へスライドさせるように傾斜した面７７４ａを有している。止水部材の軸側端部７６０ｂの下面は、止水部材７６０がドア枠７２０の面内にあるときの傾斜面７７４ａに合わせた傾きの部分を有している。これにより、傾斜面７７４ａは、ドア本体７３１が図の左側に示す閉位置Ｌ２から図の右側に示す開位置Ｌ１へ移動するときに止水部材７６０を上げる一方で、ドア本体７３１が開位置Ｌ１から閉位置Ｌ２へ移動するときに止水部材７６０を下げる傾斜とされている。
【００５４】
ドア本体７３１が閉位置Ｌ２にあるとき、止水部材端部載置部材の傾斜面７７４ａと止水部材の軸側端部７６０ｂの下面とが広く接触し、ばね７７２の付勢力により止水部材７６０が下がった状態となり、止水パッキン６８が下枠７２２上に接触する。ドア本体７３１を開方向に回転動作させると、止水部材の軸側端部７６０ｂが止水部材端部載置部材７７４で持ち上げられ、止水部材７６０が上がっていく。
一方、開位置Ｌ１にあるドア本体７３１を閉方向に回転動作させると、傾斜面７７４ａと軸側端部７６０ｂ下面との接触面が多くなり、ばね７７２の付勢力により止水部材７６０が下がっていく。そして、閉位置Ｌ２でパッキン６８が下枠７２２に接触した状態となる。
【００５５】
従って、開き戸タイプのドア本体が閉位置にあるときに確実に止水することが可能となる。
なお、上述した押圧部を有する止水ユニットを開き戸に適用することも可能である。例えば、閉位置にあるドア本体に向かって突出した突出部を図９の左側の縦枠７２３に設け、ドア本体が閉位置となったときに前記突出部でドア本体内側へ押される押圧部を有する止水ユニットをドア本体下部に設けると、浴室ドアを構成することができる。
【００５６】
図１０は折戸タイプの浴室ドア８１０に止水ユニット８４１，８４２を用いた例を示す図であり、同図（ａ）はドア本体８３１，８３２が開閉途中であるときの浴室ドア８１０の様子を断面視して示す水平断面図、同図（ｂ）はドア本体８３１，８３２が開閉途中であるときの浴室ドア８１０の要部を示す正面図、同図（ｃ）はドア本体８３１，８３２が閉位置にあるときの浴室ドア８１０の要部を示す正面図である。
本浴室ドア８１０は、折り動作可能に連結された第一のドア本体８３１と第二のドア本体８３２とを有している。第一のドア本体８３１は、ドア枠８２０に対して上下に向けた軸を回転動作の中心としてドア枠８２０の面外に移動するようにされている。第二のドア本体８３２は、第一のドア本体８３１に対して折り動作可能に連結されて該第一のドア本体８３１との連結部とは反対側の縁部がドア枠８２０の面内で移動可能とされている。
【００５７】
第一のドア本体８３１の下部となる縦框８３０ａ，８３０ｂ及び下框８３０ｄには第一の止水ユニット８４１が着脱可能に設けられ、第二のドア本体８３２の下部となる縦框８３０ａ，８３０ｂ及び下框８３０ｄには第二の止水ユニット８４２が着脱可能に設けられている。
【００５８】
第一の止水ユニット８４１には、例えば、図９で示した止水ユニット７４０を用いることができる。すなわち、止水部材７６０に切欠部７６２が形成され、止水部材高さ変更機構７７０が止水部材端部載置部材７７４と圧縮コイルばね（第一のばね）７７２とを備え、止水部材端部載置部材７７４において止水部材７６０の軸ＡＸ１側の端部７６０ｂを載置する面が傾斜面７７４ａを有する。
第二の止水ユニット８４２には、例えば、図５で示した止水ユニット１４０を用いることができる。すなわち、止水部材高さ変更機構１７０が引張コイルばね（第二のばね）１７２と止水部材押下部材１７４とを備える。
【００５９】
ドア本体８３１，８３２が開位置にあるとき、第一の止水ユニット８４１では、止水部材７６０の軸側端部７６０ｂが止水部材端部載置部材７７４で持ち上げられているので、止水部材７６０が上がった状態となっている。第二の止水ユニット８４２では、押圧部１７５が押されていないので、ばね１７２の付勢力により止水部材１６０が上がった状態となっている。図１０（ｂ）に示すようにドア本体８３１，８３２が閉方向へ移動しているとき、第一の止水ユニット８４１では、傾斜面７７４ａと軸側端部７６０ｂ下面との接触面が多くなり、ばね７７２の付勢力により止水部材７６０が下がっていく。第二の止水ユニット８４２では、押圧部１７５が押されていないので、止水部材１６０は上がった状態のままである。
【００６０】
ドア本体８３１，８３２が閉位置となると、第一の止水ユニット８４１では、傾斜面７７４ａと軸側端部７６０ｂ下面とが広く接触し、ばね７７２の付勢力により止水部材７６０が下がった状態となって、止水パッキン６８が下枠８２２に接触する。第二の止水ユニット８４２では、右側の縦枠８２３が止水ユニット８４１の長手方向へ押圧部１７５を押す。すると、止水部材押下部材１７４が止水部材１６０を下方へスライドさせ、止水パッキン６８が下枠８２２上に接触する。
一方、閉位置にあるドア本体８３１，８３２を開方向へ動かすと、第一の止水ユニット８４１では、止水部材の軸側端部７６０ｂが止水部材端部載置部材７７４で持ち上げられ、止水部材７６０が上がっていく。第二の止水ユニット８４２では、押圧部１７５が押されなくなり、ばね１７２の付勢力により止水部材１６０が上方へスライドする。
【００６１】
従って、折戸タイプのドア本体が閉位置にあるときに確実に止水することが可能となる。
【００６２】
以上説明したように、本発明によると、種々の態様により、止水用の部品を交換しやすくし、メンテナンス性を向上させる、外観及び使い勝手の良好な浴室ドアを提供することができる。
なお、本発明は、上述した実施形態や変形例に限られず、上述した実施形態および変形例の中で開示した各構成を相互に置換したり組み合わせを変更したりした構成、公知技術並びに上述した実施形態および変形例の中で開示した各構成を相互に置換したり組み合わせを変更したりした構成、等も含まれる。
【図面の簡単な説明】
【００６３】
【図１】上吊式とした浴室ドアの例を示す斜視図。
【図２】図１に示した浴室ドアの要部を示す図。
【図３】取付部材を取り付けたドア本体の要部を断面視して示す垂直断面図。
【図４】中央のドア本体に設けられる止水ユニットの例を示す図。
【図５】左右のドア本体に設けられる止水ユニットの例を示す図。
【図６】左右のドア本体に設けられる止水ユニットの例を示す図。
【図７】止水ユニットを設けた浴室ドアの変形例を示す図。
【図８】止水ユニットに磁石又は磁性体を用いた浴室ドアの例を示す図。
【図９】開き戸タイプの浴室ドアに止水ユニットを用いた例を示す図。
【図１０】折戸タイプの浴室ドアに止水ユニットを用いた例を示す図。
【符号の説明】
【００６４】
１…浴室、１０，５１０，６１０…引戸タイプの浴室ドア、
２０…ドア枠、２１…上枠、２２…下枠、
３０ａ，３０ｂ…縦框、３０ｃ…上框、３０ｄ…下框、３０ｅ…面材、
３０ｆ…ランナー部材、
３１，３２，３３…ドア本体、３１ａ，３２ａ，３３ａ…凹部、
３１ｂ，３３ｂ，５３１ｂ…突出部、
４０〜４３，１４０…止水ユニット、
５０，１５０…取付部材、
６０，１６０…止水部材、６８…止水パッキン、
７０，１７０…止水部材高さ変更機構、
７２…引張コイルばね、
７４，１７４…止水部材押下部材、７５，１７５…押圧部、
１７２…引張コイルばね（第二のばね）、
５７２…圧縮コイルばね、
５７４…止水部材載置部材、５７５…押圧部、
５７４ａ…第一の載置部位、５７４ｂ…第二の載置部位、５７４ｃ…案内部位、
６２２ａ…磁石（磁力作用部位）、
６７２…引張コイルばね、６７４…磁石又は磁性体、
７１０…開き戸タイプの浴室ドア、
７６２…切欠部、
７７２…圧縮コイルばね（第一のばね）、７７４…止水部材端部載置部材、
８１０…折戸タイプの浴室ドア、
８３１…第一のドア本体、８３２…第二のドア本体、
８４１…第一の止水ユニット、８４２…第二の止水ユニット、
ＡＸ１…軸、
Ｄ１…開閉方向、Ｄ２…厚み方向、
Ｌ１…開位置、Ｌ２…閉位置、
Ｒ１…脱衣室、
【図１】
0005089315.tif 000002
【図２】
0005089315.tif 000003
【図３】
0005089315.tif 000004
【図４】
0005089315.tif 000005
【図５】
0005089315.tif 000006
【図６】
0005089315.tif 000007
【図７】
0005089315.tif 000008
【図８】
0005089315.tif 000009
【図９】
0005089315.tif 000010
【図１０】
0005089315.tif 000011